(57)【要約】  【課題】商品を収納する収納室と商品販売時に冷却または加温する自動販売機で、同一商品であても販売時の商品温度毎に売上集計を行い、同一商品を異なる温度で販売する場合の売上情報管理の効率を高めた自動販売機を提供する。  【解決手段】温度検知手段２１で販売時の商品温度を検知し、温度区分記憶手段２０に記憶している温度区分と検知した温度から集計する区分を判定し、売上集計手段２２にて販売集計を行うことで、同一商品を異なる温度で販売する場合でも、販売時の商品温度別に売上集計ができる。【選択図】図３
2008123467.tif 000002
【特許請求の範囲】
【請求項１】
自動販売機本体の上部に商品を収納する商品収納室と、前記商品収納室の下部に前記商品を誘導加熱方式によって加温する誘導加熱装置を備えた自動販売機であって、前記商品が冷却商品として販売される時は、前記誘導加熱装置に搬送されても加熱されずに、冷却商品として商品取出口へ搬送され、加熱商品として販売される時は、前記誘導加熱装置に搬送されて加熱され、加温商品として前記商品取出口へ搬送されることを特徴とする自動販売機。
【請求項２】
販売商品の冷却または加温別に売上数を集計するための冷却加温区分を記憶する温度区分記憶手段と、誘導加熱装置に設置され販売時の商品温度を検知する温度検知手段と、前記温度区分記憶手段に記憶される冷却または加温区分に従い販売時の売上数集計を行う売上集計手段とを備え、商品を販売する場合、前記温度検知手段で商品温度を検知し、前記売上集計手段にて前記温度区分記憶手段に記憶された冷却加温区分に従い冷却商品として販売される商品数と加温商品として販売される商品数の売上集計を行うことを特徴とした請求項１に記載の自動販売機。
【請求項３】
前記温度区分記憶手段の温度区分を設定変更する区分設定手段を備え、前記演算制御部は前記区分設定手段にて温度区分が設定変更された場合、その内容を前記温度区分記憶手段に記憶することを特徴とした請求項２に記載の自動販売機。
【請求項４】
商品品種を区分する商品コードと前記温度区分記憶手段に記憶する温度区分毎に割振られた温度コードを記憶するコード記憶手段と、販売時の商品温度別に前記コード記憶手段に記憶している商品コードと温度コードから販売商品コードを生成するコード生成手段と、温度区分毎に前記コード生成手段で生成された販売商品コードと前記売上集計手段で集計された売上集計を関連付けして記憶する売上集計記憶手段を備え、前記演算制御部は商品販売毎に前記売上集計記憶手段にて販売商品コードと売上集計を関連付けて記憶することを特徴とした請求項２または３に記載の自動販売機。
【請求項５】
前記コード記憶手段の商品コードまたは温度コードを設定変更するコード設定手段を備え、前記演算制御部は前記コード設定手段にて商品コードまたは温度コードが設定変更された場合、その内容を前記コード記憶手段に記憶することを特徴とした請求項４に記載の自動販売機。
【請求項６】
販売商品コード毎に前記売上集計記憶手段に記憶された売上集計を表示またはデータ出力する集計結果出力装置を備え、前記演算制御部は自動販売機管理者が前記集計結果出力装置を操作した場合、その操作内容に従い販売商品コード毎に該当する売上集計を表示またはデータ出力することを特徴とした請求項４または５のいずれか１項に記載の自動販売機。
【発明の詳細な説明】
【技術分野】
【０００１】
本発明は、同一商品であても販売時の商品温度毎に売上集計を行い、また販売時の商品温度毎にその販売商品区分を示すコードを生成することにより、同一商品でも販売温度が異なる商品の売上情報管理の効率向上を図った自動販売機に関するものである。
【背景技術】
【０００２】
従来、この種の自動販売機で庫内を貯蔵室と冷却加熱室に上下に分離したものがあった（特許文献１参照）。
【０００３】
図１３は、特許文献１に記載された従来の自動販売機の縦断面図を示すものである。図１４は、特許文献１に記載された従来の自動販売機の制御装置の機能ブロック図である。
【０００４】
図に示すように、自動販売機本体１内には断熱壁２により囲まれた前面が開閉可能な商品収納庫３が構成されており、商品収納庫３内には商品収納室４が形成され、また各商品収納室４は上部の貯蔵ゾーン５と下部の冷却又は加熱ゾーン６とに区画され、冷却又は加熱されている。各商品収納室４には前面の商品投入口から投入された同一商品が横倒し姿勢で積み重ねられて多数収納されている。
【０００５】
次に自動販売機本体１内の制御装置について説明する。
【０００６】
商品収納室４に収納された商品が販売された場合、商品収納室４毎に売上集計を行う集計手段７と、その集計結果を記憶する記憶手段８と、その内容を表示する表示装置９と、自動販売機全体を制御する制御手段１０とから構成されている。
【０００７】
以上のように構成された自動販売機について、以下、その売上管理動作について説明する。
【０００８】
商品収納室４より商品が販売された場合、集計手段７にて売上集計を行い、記憶手段８にその内容を記憶する。次に自動販売機管理者が表示装置９を操作すると、記憶手段８に商品収納室４毎に記憶された売上集計結果を表示装置９に表示する。
【０００９】
これにより、自動販売機管理者は同一商品が収納された商品収納室４の売上集計を確認することで商品毎の売上結果を確認することができる。
【特許文献１】特開２０００−５７４３１号公報
【発明の開示】
【発明が解決しようとする課題】
【００１０】
しかしながら、上記従来の構成では、商品収納室４毎の売上集計結果しか表示することができず、商品収納室４で冷却又は加温するのではなく商品収納室から搬出した後に冷却又は加温し販売するような自動販売機では、冷却での売上集計結果、加温での売上集計結果が確認することができないという課題を有していた。
【００１１】
また加温ゾーン内での商品の長期滞留による商品劣化を有するという課題を有していた。
【００１２】
また、収納室内に冷却ゾーンと加温ゾーンを断熱区画する必要がり、断熱壁の配置による庫内の収納効率を低下させるという課題があった。
【００１３】
本発明は、上記従来の課題を解決するもので、販売時の商品の冷却／加温に従い売上集計を行い、その結果を表示またはデータ出力することで同一商品であっても販売温度が異なる商品の売上情報管理の効率を高めた自動販売機を提供することを目的とする。
【００１４】
また、商品が加温されたまま長期滞留するのを防止し、商品劣化を阻止した自動販売機を提供することを目的とする。
【００１５】
また、冷却ゾーンと加温ゾーンを仕切る断熱壁を低減することができ、庫内の商品収納効率を高めることができる。
【課題を解決するための手段】
【００１６】
上記従来の課題を解決するために、本発明の自動販売機は、自動販売機本体の上部に商品を収納する商品収納室と、前記商品収納室の下部に前記商品を誘導加熱方式によって加温する誘導加熱装置を備えた自動販売機であって、前記商品が冷却商品として販売される時は、前記誘導加熱装置に搬送されても加熱されずに、冷却商品として商品取出口へ搬送され、加熱商品として販売される時は、前記誘導加熱装置に搬送されて加熱され、加温商品として前記商品取出口へ搬送されるものである。
【００１７】
これによって、収納部内に収納された商品を、加温販売指令によって誘導加熱装置により加温されて販売されるので、庫内での加温貯蔵による商品劣化を阻止し、飲料品質を高めることができ、また商品収納室内への商品収納効率を高めることができる。
【発明の効果】
【００１８】
本発明の自動販売機は、収納室内に収納された商品は、販売指令によって加温されるので飲料品質を高めるとともに、商品の収納効率を高めることができる。
【発明を実施するための最良の形態】
【００１９】
請求項１に記載の発明は、自動販売機本体の上部に商品を収納する商品収納室と、前記商品収納室の下部に前記商品を誘導加熱方式によって加温する誘導加熱装置を備えた自動販売機であって、前記商品が冷却商品として販売される時は、前記誘導加熱装置に搬送されても加熱されずに、冷却商品として商品取出口へ搬送され、加熱商品として販売される時は、前記誘導加熱装置に搬送されて加熱され、加温商品として前記商品取出口へ搬送されるものである。
【００２０】
これによって、収納部内では商品を貯蔵し、加温販売指令によって誘導加熱装置により加温されて販売されるので、加温貯蔵による商品劣化を阻止し、飲料品質を高めることができ、商品の収納効率を高めることができる。
【００２１】
請求項２に記載の発明は、請求項１に記載の発明に、販売商品の冷却または加温別に売上数を集計するための冷却加温区分を記憶する温度区分記憶手段と、誘導加熱装置に設置され販売時の商品温度を検知する温度検知手段と、前記温度区分記憶手段に記憶される冷却または加温区分に従い販売時の売上数集計を行う売上集計手段とを備え、商品を販売する場合、前記温度検知手段で商品温度を検知し、前記売上集計手段にて前記温度区分記憶手段に記憶された冷却加温区分に従い冷却商品として販売される商品数と加温商品として販売される商品数の売上集計を行うものである。
【００２２】
これによって、同一商品を異なる商品温度で販売する場合でも、冷却，加温別に売上集計ができ売上情報管理の効率を高めることができる。
【００２３】
請求項３に記載の発明は、請求項２に記載の発明にさらに、温度区分記憶手段の温度区分を設定変更する区分設定手段を備え、演算制御部は区分設定手段にて温度区分が設定変更された場合、その内容を温度区分記憶手段に記憶するものである。
【００２４】
これによって、販売する温度帯に合わせて温度区分を自由に変更することができる。
【００２５】
請求項４に記載の発明は、請求項２または３に記載の発明にさらに、商品品種を区分する商品コードと温度区分記憶手段に記憶する温度区分毎に割振られた温度コードを記憶するコード記憶手段と、販売時の商品温度別にコード記憶手段に記憶している商品コードと温度コードから販売商品コードを生成するコード生成手段と、温度区分毎にコード生成手段で生成された販売商品コードと売上集計手段で集計された売上集計を関連付けして記憶する売上集計記憶手段を備え、演算制御部は商品販売毎に売上集計記憶手段にて販売商品コードと売上集計を関連付けて記憶するものである。
【００２６】
これによって、同一商品を冷却または加温して販売する場合でも、販売時の商品温度で売上集計結果を区分する商品販売コード自動生成し売上集計結果と関連付け記憶することができる。
【００２７】
請求項５に記載の発明は、請求項４に記載の発明にさらに、コード記憶手段の商品コードまたは温度コードを設定変更するコード設定手段を備え、演算制御部はコード設定手段にて商品コードまたは温度コードが設定変更された場合、その内容をコード記憶手段に記憶するものである。
【００２８】
これによって、収納している商品または販売する温度帯に合わせてコードを自由に変更することができる。
【００２９】
請求項６に記載の発明は、請求項４または５に記載の発明にさらに、販売商品コード毎に売上集計記憶手段に記憶された売上集計を表示またはデータ出力する集計結果出力装置を備え、演算制御部は自動販売機管理者が集計結果出力装置を操作した場合、その操作内容に従い販売商品コード毎に該当する売上集計を表示またはデータ出力するものである。
【００３０】
これによって、販売時の商品温度から販売された商品を区分するコードとその集計を表示またはデータ出力することで売上情報管理の効率を高めることができる。
【００３１】
（実施の形態１）
図１は、本発明の実施の形態１を示す自動販売機の正面図である。図２は、実施の形態１の自動販売機本体の縦断面概略図である。
【００３２】
図において、自動販売機本体１１内には複数の商品収納室１２が区画構成されて種々の缶商品１３が商品別にそれぞれ常温で収納されている。自動販売機本体１１の前面開口部には外扉１４が配置されている。外扉１４の上部に商品サンプル展示室１５、その下方に商品の広告などを掲示する広告パネル室１６と金銭投入部１７が横並びに備えられ、外扉１４の下部には選択された缶商品１３を排出する商品取出口１８が備えられている。
【００３３】
また、缶商品１３を冷却する際は商品を回転させながら冷却システムにより急速冷却し、加温する際は商品を回転させながら誘導加熱式による加温ユニットにより急速加温する冷却加温装置１９を商品収納室１２の下部から缶商品１３を受け入れるように関連づけ商品取出口１８と隣り合わせに配置し、冷却加温装置１９の商品排出側は商品取出口１８と連通し、冷却加温装置１９で冷却又は加温された缶商品１３は商品取出口１８から取り出せるように形成されている。
【００３４】
図３は本発明の実施の形態１による自動販売機の制御装置の機能ブロック図である。図４は、同実施の形態の動作を示すフローチャートである。
【００３５】
図４において、販売時の商品温度別に売上集計するための温度区分を記憶する温度区分記憶手段２０と、販売時の商品温度を検知する温度検知手段２１と、温度区分記憶手段２０に記憶する温度区分に従い販売時の商品温度別に売上集計を行う売上集計手段２２と、冷却加温装置１９と温度区分記憶手段２０と、温度検知手段２１と、売上集計手段２２とに接続された演算制御部２３とからなり、演算制御部２３は冷却加温装置１９にて冷却又は加温された商品を販売する場合、温度検知手段２１で商品温度を検知し、売上集計手段２２にて温度区分記憶手段２０に記憶された温度区分に従い売上集計を行う。
【００３６】
以上のように構成された自動販売機の制御装置について、以下その動作を説明する。
【００３７】
冷却加温装置１９にて冷却または加温された商品の販売有無を判定し（ＳＴＥＰ１）、商品が販売される場合、温度検知手段２１で販売時の商品温度を検知する（ＳＴＥＰ２）。次に、温度区分記憶手段２０に記憶している温度区分と検知した温度から集計する区分を判定し（ＳＴＥＰ３）、売上集計手段２２にて販売集計を行う（ＳＴＥＰ４）。
【００３８】
以上のように本実施の形態の自動販売機の制御装置によれば、商品販売時に商品温度を検知し予め記憶している温度区分に従い売上集計を行うようにしたことにより、同一商品を異なる温度で販売する場合でも、販売時の商品温度別に売上集計ができる。
【００３９】
また、冷却または加温できる冷却加温装置１９としたが、誘導加熱式で誘導加熱コイルによって商品を適温加熱できる加熱専用の誘導加熱装置１９としてもよく、この場合、商品収納室１２内は、その下方に備えた機械室１００内の圧縮機１０１に接続された冷却サイクルの蒸発器１０２と、蒸発器１０２で熱交換された空気を商品収納室１９内へ強制送風するファン１０３によって室内が冷却され、特に商品収納室１２下部の商品１３は適温に冷却されている。
【００４０】
また外扉１４に備えた商品選択ボタン１０４は同じ商品サンプルに対して加温ボタンと冷却ボタンとに分けられていて、利用者が加温ボタンを操作すれば、商品収納室１２から冷却された商品１３が搬出されて、誘導加熱装置１９へ搬送され、誘導加熱装置に備えた温度検知手段２１によって商品１３が適温加熱されたと判断されると誘導加熱コイルへの通電を停止し、商品取出口１８へ搬送する。
【００４１】
また利用者が冷却ボタンを操作すれば、商品収納室１２内で適温冷却されている商品１３が搬出され、一旦誘導加熱装置１９へ搬送されて、温度検知手段２１によって温度検知した後、そのまま商品取出口１８へ搬送される。
【００４２】
したがって、商品収納室１２内で商品は冷却貯蔵されているので、加熱による中身飲料の劣化を阻止することができ、飲料品質を高めることができる。
【００４３】
また、夏場などには商品収納室１２が冷却商品室として加温できない冷却商品が収納されるため、この冷却商品が選択された場合は、誘導加熱装置１９に搬送され加熱されずに商品を商品取出口１８へ押し出されるように制御されている。
【００４４】
したがって、商品収納室１２内を冷却専用商品に入れ替えても、誘導加熱装置１９で加熱することなく、商品取出口１８へ搬送する搬送経路として活用できるので、商品収納室１２に収納する商品を加熱対象商品だけでなく、加熱に不適切な炭酸飲料などを収納して販売することができるので、誘導加熱装置１９に連通する商品収納室１９の収納商品の汎用性を高めることができる。
【００４５】
また、冬場など加温対象商品が商品収納室１９内に収納される場合は、約３０℃程度の加温劣化が生じない温度に、電気ヒータ（図示しない）で予熱して貯蔵しておいてもよく、これによって誘導加熱装置１９による加熱時間を低減し、利用者へ早くホット商品を販売することができる。
【００４６】
また、従来例の冷却ゾーンと加温ゾーンとを区画するために自動販売機本体１１内を上下方向あるいは左右方向に仕切るような断熱壁を大幅に低減でき、商品取出口１８の横方向に備えた誘導加熱装置周辺を断熱区画すれば良いので、本体１１内に収納される商品の収納効率を高めることができる。
【００４７】
また温度検知手段２１によって、上記のように商品１３の温度情報から販売される同一種類商品の冷却または加温別の売上げ数を集計することができる。
【００４８】
（実施の形態２）
自動販売機内部の配置構成は実施の形態１と同様であり、図５は本発明の実施の形態２による自動販売機の制御装置の機能ブロック図である。図６は、同実施の形態の動作を示すフローチャートである。なお実施の形態１と同一構成のものは、同一符号を付してその詳細な説明を省略する。
【００４９】
図５において、温度区分記憶手段２０の温度区分を設定変更する区分設定手段２４を備え、演算制御部２３ａは区分設定手段２４にて温度区分が設定変更された場合、その内容を温度区分記憶手段２０に記憶する。
【００５０】
以上のように構成された自動販売機の制御装置について、以下その動作を説明する。
【００５１】
区分設定手段２４にて温度区分の変更有無を判定し（ＳＴＥＰ１１）、変更された場合、その内容を温度区分記憶手段２０に記憶する（ＳＴＥＰ１２）。
【００５２】
以上のように本実施の形態の自動販売機の制御装置によれば、温度区分が設定変更された場合、その内容を記憶するようにしたことにより、販売する温度帯に合わせて温度区分を自由に変更することができる。
【００５３】
（実施の形態３）
自動販売機内部の配置構成は実施の形態１と同様であり、図７は本発明の実施の形態３による自動販売機の制御装置の機能ブロック図である。図８は、同実施の形態の動作を示すフローチャートである。なお実施の形態１，２と同一構成のものは、同一符号を付してその詳細な説明を省略する。
【００５４】
商品品種を区分する商品コードと温度区分記憶手段２０に記憶する温度区分毎に割振られた温度コードを記憶するコード記憶手段２５と、販売時の商品温度別にコード記憶手段２５に記憶している商品コードと温度コードから販売商品コードを生成するコード生成手段２６と、温度区分毎にコード生成手段２６で生成された販売商品コードと売上集計手段２２で集計された売上集計を関連付けして記憶する売上集計記憶手段２７を備え、演算制御部２３ｂは商品販売毎に売上集計記憶手段２７にて販売商品コードと売上集計を関連付けて記憶する。
【００５５】
以上のように構成された自動販売機の制御装置について、以下その動作を説明する。
【００５６】
冷却加温装置１９にて冷却または加温された商品の販売有無を判定し（ＳＴＥＰ１）、商品が販売される場合、温度検知手段２１で販売される時の商品温度を検知する（ＳＴＥＰ２）。
【００５７】
次に、検知した温度から温度区分記憶手段２０に記憶している温度区分から集計する区分を判定し（ＳＴＥＰ３）、売上集計手段２２にて販売集計を行うとともに（ＳＴＥＰ４）、コード生成手段２６にて販売された商品の販売商品コードの生成を行い（ＳＴＥＰ２１）、売上集計記憶手段２７に販売商品コードと販売集計結果を関連付けして記憶する（ＳＴＥＰ２２）。
【００５８】
以上のように本実施の形態の自動販売機の制御装置によれば、販売時の商品温度を検知し売上集計を行うとともに販売した商品の販売商品コードを生成し、その集計結果を関連付けて記憶するようにしたことにより、同一商品を異なる温度で販売した場合でも、販売時の商品温度で区分された商品販売コードとその売上集計結果と関連付け記憶することができる。
【００５９】
（実施の形態４）
自動販売機内部の配置構成は実施の形態１と同様であり、図９は本発明の実施の形態４による自動販売機の制御装置の機能ブロック図である。図１０は、同実施の形態の動作を示すフローチャートである。なお実施の形態３と同一構成のものは、同一符号を付してその詳細な説明を省略する。
【００６０】
コード記憶手段２５の商品コードまたは温度コードを設定変更するコード設定手段２８を備え、演算制御部２３ｃはコード設定手段２８にて商品コードまたは温度コードが設定変更された場合、その内容をコード記憶手段２５に記憶する。
【００６１】
以上のように構成された自動販売機の制御装置について、以下その動作を説明する。
【００６２】
コード設定手段２８にて商品コードまたは温度コードの変更有無を判定し（ＳＴＥＰ３１）、変更された場合、その内容をコード記憶手段２５に記憶する（ＳＴＥＰ３２）。
【００６３】
以上のように本実施の形態の自動販売機の制御装置によれば、商品コードまたは温度コード温度が設定変更された場合、その内容を記憶するようにしたことにより、販売する商品または温度帯に合わせて販売商品コードを自由に変更することができる。
【００６４】
（実施の形態５）
自動販売機内部の配置構成は実施の形態１と同様であり、図１１は本発明の実施の形態５による自動販売機の制御装置の機能ブロック図である。図１２は、同実施の形態の動作を示すフローチャートである。なお実施の形態４と同一構成のものは、同一符号を付してその詳細な説明を省略する。
【００６５】
販売商品コード毎に売上集計記憶手段２７に記憶された売上集計を表示またはデータ出力する集計結果出力装置２９を備え、演算制御部２３ｄは自動販売機管理者が集計結果出力装置２９を操作した場合、その操作内容に従い販売商品コード毎に該当する売上集計を販売商品コードとともに表示またはデータ出力する。
【００６６】
以上のように構成された自動販売機の制御装置について、以下その動作を説明する。
【００６７】
集計出力装置２９の操作有無を判定し（ＳＴＥＰ４１）、操作された場合、売上集計記憶手段２７に記憶している販売商品コードと売上集計結果を販売商品コード別に表示またはデータ出力を行う（ＳＴＥＰ４２）。
【００６８】
以上のように本実施の形態の自動販売機の制御装置によれば、自動販売機管理者が集計結果出力装置２９を操作した場合、その操作内容に従い販売商品コード毎に該当する売上集計を表示またはデータ出力するようにしたことにより、販売時の商品温度から販売された商品を区分する販売商品コードとその集計結果を表示またはデータ出力することで売上情報管理の効率を高めることができる。
【産業上の利用可能性】
【００６９】
以上のように、本発明にかかる自動販売機は販売時の商品温度で販売商品を区分するコード自動生成し、その生成したコード別に売上集計を行い商品管理を行うので、特に商品購入者が商品温度を自由に選択して販売する自動販売機の用途にも適用できる。
【図面の簡単な説明】
【００７０】
【図１】本発明の実施の形態１による自動販売機の正面図
【図２】同実施の形態による自動販売機本体の縦断面概略図
【図３】同実施の形態による自動販売機の制御装置の機能ブロック図
【図４】同実施の形態による自動販売機の制御装置の動作を示すフローチャート
【図５】本発明の実施の形態２による自動販売機の制御装置の機能ブロック図
【図６】同実施の形態による自動販売機の制御装置の動作を示すフローチャート
【図７】本発明の実施の形態３による自動販売機の制御装置の機能ブロック図
【図８】同実施の形態による自動販売機の制御装置の動作を示すフローチャート
【図９】本発明の実施の形態４による自動販売機の制御装置の機能ブロック図
【図１０】同実施の形態による自動販売機の制御装置の動作を示すフローチャート
【図１１】本発明の実施の形態５による自動販売機の制御装置の機能ブロック図
【図１２】同実施の形態による自動販売機の制御装置の動作を示すフローチャート
【図１３】従来の自動販売機の縦断面概略図
【図１４】従来の自動販売機の制御装置の機能ブロック図
【符号の説明】
【００７１】
１１  自動販売機本体
１２  商品収納室
１３  缶商品
１４  外扉
１５  商品サンプル展示室
１６  広告パネル室
１７  金銭投入部
１８  商品取出口
１９  冷却加温装置
２０  温度区分記憶手段
２１  温度検知手段
２２  売上集計手段
２３，２３ａ，２３ｂ，２３ｃ，２３ｄ  演算制御部
２４  区分設定手段
２５  コード記憶手段
２６  コード生成手段
２７  売上集計記憶手段
２８  コード設定手段
２９  集計結果出力装置
【図１】
2008123467.tif 000003
【図２】
2008123467.tif 000004
【図３】
2008123467.tif 000005
【図４】
2008123467.tif 000006
【図５】
2008123467.tif 000007
【図６】
2008123467.tif 000008
【図７】
2008123467.tif 000009
【図８】
2008123467.tif 000010
【図９】
2008123467.tif 000011
【図１０】
2008123467.tif 000012
【図１１】
2008123467.tif 000013
【図１２】
2008123467.tif 000014
【図１３】
2008123467.tif 000015
【図１４】
2008123467.tif 000016